(57)【要約】【課題】本発明は、電力系統（商用系統）の瞬時電圧低下又は停電が生じた場合において、直流母線の電圧が安定して動作する電力変換装置を提供する。【解決手段】電力変換装置は、第１の直流電源から出力される直流電力を、異なる電圧の直流電力に変換する第１のＤＣ／ＤＣ変換回路と、前記第１のＤＣ／ＤＣ変換回路を制御する第１のＤＣ／ＤＣ変換回路制御部と、第２の直流電源から直流母線を介して供給される直流電力と、前記第１のＤＣ／ＤＣ変換回路からの直流電力とを、交流電力に変換するＤＣ／ＡＣ変換回路とを備え、前記第１のＤＣ／ＤＣ変換回路制御部は、前記第１の直流電源の放電時の前記直流母線の目標電圧である第１の目標値及び前記第１の直流電源の充電時の前記直流母線の目標電圧である第２の目標値が設定されたリミッタを備えている。【選択図】図１
2018019481.tif 000002
【特許請求の範囲】
【請求項１】
第１の直流電源から出力される直流電力を、異なる電圧の直流電力に変換する第１のＤＣ／ＤＣ変換回路と、
前記第１のＤＣ／ＤＣ変換回路を制御する第１のＤＣ／ＤＣ変換回路制御部と、
第２の直流電源から直流母線を介して供給される直流電力及び前記第１のＤＣ／ＤＣ変換回路からの直流電力を交流電力に変換し、電力系統に前記交流電力を供給するＤＣ／ＡＣ変換回路と
を備える電力変換装置において、
前記第１のＤＣ／ＤＣ変換回路制御部は、前記直流母線の目標電圧が設定されているリミッタを備え、
前記第１のＤＣ／ＤＣ変換回路制御部は、前記電力系統の異常発生時において、前記リミッタを介して出力された前記目標電圧を用いて、前記直流母線の電圧を制御することを特徴とする電力変換装置。
【請求項２】
前記第１のＤＣ／ＤＣ変換回路制御部は、
前記第１の直流電源の電圧及び電流を制御する、又は、前記第１の直流電源の電圧及び電力を制御する第１の直流電源制御部と、
前記第１の直流電源制御部の出力側に配置され、前記目標電圧として、前記第１の直流電源の放電時の前記直流母線の目標電圧である第１の目標値及び前記第１の直流電源の充電時の前記直流母線の目標電圧である第２の目標値が設定されている前記リミッタと、
前記リミッタの出力側に配置され、前記直流母線の電圧を制御する直流母線電圧制御部と
を備えることを特徴とする請求項１に記載の電力変換装置。
【請求項３】
通常運転時において、前記第１のＤＣ／ＤＣ変換回路制御部は、
前記第１の直流電源制御部の出力を、前記第１の目標値と前記第２の目標値との間の第３の目標値よりも高くなるように制御して、前記第１の直流電源から放電するようにし、
前記第１の直流電源制御部の出力を、前記第３の目標値よりも低くなるように制御して、前記第１の直流電源を充電するように構成されていることを特徴とする請求項２に記載の電力変換装置。
【請求項４】
前記ＤＣ／ＡＣ変換回路を制御するＤＣ／ＡＣ変換回路制御部をさらに備え、
通常運転時において、前記ＤＣ／ＡＣ変換回路制御部が、前記直流母線の電圧を制御することを特徴とする請求項１〜３のいずれか一項に記載の電力変換装置。
【請求項５】
前記直流母線を介して前記ＤＣ／ＡＣ変換回路に接続され、前記第２の直流電源から出力される直流電力を、異なる電圧の直流電力に変換する第２のＤＣ／ＤＣ変換回路と、
前記第２のＤＣ／ＤＣ変換回路を制御する第２のＤＣ／ＤＣ変換回路制御部と
をさらに備え、
通常運転時において、前記第２のＤＣ／ＤＣ変換回路制御部が、前記直流母線の電圧を制御することを特徴とする請求項１〜３のいずれか一項に記載の電力変換装置。
【発明の詳細な説明】
【技術分野】
【０００１】
本発明は、電力変換装置に関する。
【背景技術】
【０００２】
近年、太陽電池、燃料電池、二次電池などの直流電源から供給される直流電力を、交流電力に変換して系統に連系する系統連系用電力変換装置が用いられている。
【０００３】
上記の電力変換装置において、複数の直流電源を設ける場合には、直流電源ごとにＤＣ／ＤＣコンバータを設け、全てのＤＣ／ＤＣコンバータの出力を並列に接続して、後段のＤＣ／ＡＣインバータに接続する（例えば、特許文献１）。
【先行技術文献】
【特許文献】
【０００４】
【特許文献１】国際公開２０１３／１２１６１８号
【発明の概要】
【発明が解決しようとする課題】
【０００５】
例えば、特許文献１の例において、電力変換装置は、分散電源としての太陽電池及び蓄電池と、商用系統及び負荷との間に配置される。電力変換装置は、蓄電池に接続される蓄電池側ＤＣ／ＤＣ変換回路と、太陽電池に接続される太陽電池側ＤＣ／ＤＣ変換回路と、上記の２つのＤＣ／ＤＣ変換回路の出力側に配置されたＤＣ／ＡＣ変換回路とを備えている。例えば、蓄電池側、太陽電池側のＤＣ／ＤＣ変換回路が、直流母線を介してＤＣ／ＡＣ変換回路に接続される。なお、蓄電池側ＤＣ／ＤＣ変換回路、太陽電池側ＤＣ／ＤＣ変換回路、及びＤＣ／ＡＣ変換回路は、それぞれに対応する制御部によって制御される。
【０００６】
例えば、通常時は、蓄電池側ＤＣ／ＤＣ変換回路の制御部が蓄電池の電圧を制御する。このとき、他の変換回路（例えば、ＤＣ／ＡＣ変換回路）が直流母線の電圧を制御する。一方、商用系統の瞬時電圧低下又は停電が生じた場合、ＤＣ／ＡＣ変換回路によって直流母線の電圧が制御できなくなる。そのため、従来では、蓄電池側ＤＣ／ＤＣ変換回路の制御部の処理を切り換えて直流母線の電圧を制御していた。
【０００７】
図９は、蓄電池側のＤＣ／ＤＣ変換回路用の制御部の従来の構成の一例である。まず、通常運転時の制御処理（以降、第１の制御処理と呼ぶ）について説明する。減算器９０１によって蓄電池電流値と蓄電池電流目標値の偏差が計算され、ＰＩ制御部（Proportional Integral Controller）９０２に入力される。上記の偏差は、ＰＩ制御部９０２によって比例積分される。ＰＩ制御部９０２からの出力は、切換回路９０３を介してＰＷＭ（Pulse Width Modulation）信号生成回路９０４に入力される。ＰＷＭ信号生成回路９０４は、蓄電池側ＤＣ／ＤＣ変換回路のゲート信号を出力する。
【０００８】
次に、商用系統の瞬時電圧低下又は停電時の制御処理（以降、第２の制御処理と呼ぶ）について説明する。切換回路９０５によってハイ（ｈｉｇｈ）側バス電圧目標値及びロー（ｌｏｗ）側バス電圧目標値の出力を切替え、そして、切換回路９０５の出力と直流母線電圧との偏差が減算器９０６によって計算される。上記の偏差は、ＰＩ制御部９０７に入力され、ＰＩ制御部９０７によって比例積分される。ＰＩ制御部９０７からの出力は、切換回路９０３を介してＰＷＭ信号生成回路９０４に入力される。ＰＷＭ信号生成回路９０４は、蓄電池側ＤＣ／ＤＣ変換回路のゲート信号を出力する。なお、第１の制御処理と第２の制御処理との間の切換処理は、切換回路９０３によって行われる。
【０００９】
図１０は、図９の従来の構成において、商用系統の瞬時電圧低下又は停電時が生じたときの直流母線電圧の変化を示す図である。一例として、蓄電池から放電している場合において、商用系統の瞬時電圧低下又は停電が生じたときの動作について説明する。商用系統の瞬時電圧低下又は停電が生じると、ＤＣ／ＡＣ変換回路の出力電力が低下することになる。交流の出力電力が蓄電池の放電電力よりも小さくなると、電力変換装置は、蓄電池の放電電力から交流の出力電力を引いた電力で直流母線の電解コンデンサを充電し始める。商用系統の停電の場合、電力変換装置は、蓄電池の放電電力そのものによって直流母線の電解コンデンサを充電し始める。このようにして、直流母線の電圧が上昇する。直流母線の電圧が上昇すると、これに伴い、蓄電池側ＤＣ／ＤＣ変換回路の出力が、蓄電池の放電を維持するために、直流母線電圧に沿って上昇する。従来の図９の構成では、商用系統の瞬時電圧低下又は停電が生じたときに、第１の制御処理（通常運転時の制御処理）から第２の制御処理（商用系統の瞬時電圧低下又は停電時の制御処理）へ切換えるが、図１０に示すように、切換後に直流母線電圧が安定するまでに時間がかかるという課題があった。なお、蓄電池を充電している場合において商用系統の瞬時電圧低下又は停電が生じたときについても、同様の事象が発生する。
【００１０】
そこで、本発明の目的は、電力系統（商用系統）の瞬時電圧低下又は停電が生じた場合において、直流母線の電圧が安定して動作する電力変換装置を提供することである。
【課題を解決するための手段】
【００１１】
例えば、上記課題を解決するために、特許請求の範囲に記載の構成を採用する。本願は上記課題を解決する手段を複数含んでいるが、その一例をあげるならば、第１の直流電源から出力される直流電力を、異なる電圧の直流電力に変換する第１のＤＣ／ＤＣ変換回路と、前記第１のＤＣ／ＤＣ変換回路を制御する第１のＤＣ／ＤＣ変換回路制御部と、第２の直流電源から直流母線を介して供給される直流電力及び前記第１のＤＣ／ＤＣ変換回路からの直流電力を交流電力に変換し、電力系統に前記交流電力を供給するＤＣ／ＡＣ変換回路とを備える電力変換装置において、前記第１のＤＣ／ＤＣ変換回路制御部は、前記直流母線の目標電圧が設定されているリミッタを備え、前記第１のＤＣ／ＤＣ変換回路制御部は、前記電力系統の異常発生時において、前記リミッタを介して出力された前記目標電圧を用いて、前記直流母線の電圧を制御する、電力変換装置が提供される。
【００１２】
好適には、前記第１のＤＣ／ＤＣ変換回路制御部は、前記第１の直流電源の電圧及び電流を制御する、又は、前記第１の直流電源の電圧及び電力を制御する第１の直流電源制御部と、前記第１の直流電源制御部の出力側に配置され、前記目標電圧として、前記第１の直流電源の放電時の前記直流母線の目標電圧である第１の目標値及び前記第１の直流電源の充電時の前記直流母線の目標電圧である第２の目標値が設定されている前記リミッタと、前記リミッタの出力側に配置され、前記直流母線の電圧を制御する直流母線電圧制御部とを備えてもよい。
【００１３】
好適には、通常運転時において、前記第１のＤＣ／ＤＣ変換回路制御部は、前記第１の直流電源制御部の出力を、前記第１の目標値と前記第２の目標値との間の第３の目標値よりも高くなるように制御して、前記第１の直流電源から放電するようにし、前記第１の直流電源制御部の出力を、前記第３の目標値よりも低くなるように制御して、前記第１の直流電源を充電するように構成されていてもよい。
【００１４】
好適には、前記ＤＣ／ＡＣ変換回路を制御するＤＣ／ＡＣ変換回路制御部をさらに備え、通常運転時において、前記ＤＣ／ＡＣ変換回路制御部が、前記直流母線の電圧を制御してもよい。
【００１５】
好適には、前記直流母線を介して前記ＤＣ／ＡＣ変換回路に接続され、前記第２の直流電源から出力される直流電力を、異なる電圧の直流電力に変換する第２のＤＣ／ＤＣ変換回路と、前記第２のＤＣ／ＤＣ変換回路を制御する第２のＤＣ／ＤＣ変換回路制御部とをさらに備え、通常運転時において、前記第２のＤＣ／ＤＣ変換回路制御部が、前記直流母線の電圧を制御してもよい。
【発明の効果】
【００１６】
本発明によれば、電力系統（商用系統）の瞬時電圧低下又は停電が生じた場合においても、直流母線の電圧を安定して動作させることが可能となる。本発明に関連する更なる特徴は、本明細書の記述、添付図面から明らかになるものである。また、上記した以外の、課題、構成及び効果は、以下の実施形態の説明により明らかにされる。
【図面の簡単な説明】
【００１７】
【図１】本発明の第１実施形態における電力変換装置の概略構成図である。
【図２】本発明の第１実施形態における第１のＤＣ／ＤＣ変換回路制御部の第１の例である。
【図３】本発明の第１実施形態におけるリミッタの構成を示す図である。
【図４】本発明の第１実施形態における蓄電池電圧及び電流制御部の構成の一例を示す図である。
【図５】本発明の第１実施形態における第１のＤＣ／ＤＣ変換回路制御部の第２の例である。
【図６】本発明の第１実施形態における蓄電池電圧及び電力制御部の構成の一例を示す図である。
【図７】本発明の第１実施形態の電力変換装置において商用系統の瞬時電圧低下又は停電が生じたときの直流母線電圧の変化を示す図である。
【図８】本発明の第２実施形態における電力変換装置の概略構成図である。
【図９】蓄電池側のＤＣ／ＤＣ変換回路用の制御部の従来の構成を示す図である。
【図１０】図９の構成において、商用系統の瞬時電圧低下又は停電時が生じたときの直流母線電圧の変化を示す図である。
【発明を実施するための形態】
【００１８】
以下、添付図面を参照して本発明の実施形態について説明する。なお、添付図面は本発明の原理に則った具体的な実施形態を示しているが、これらは本発明の理解のためのものであり、決して本発明を限定的に解釈するために用いられるものではない。
【００１９】
[第１実施形態]
以下では、複数の分散した直流電源からの直流電力を交流電力に変換し、系統及び負荷に供給する電力変換装置（系統連系インバータ装置）について説明する。図１は、本発明の第１実施形態における電力変換装置の概略構成図である。
【００２０】
電力変換装置１は、複数の直流電源としての太陽電池５及び蓄電池２に接続されている。電力変換装置１は、太陽電池５からの直流電力及び蓄電池２からの直流電力を交流電力に変換し、変換された交流電力を電力系統（商用系統）７及び負荷８に供給する。
【００２１】
電力変換装置１は、蓄電池２に接続される第１のＤＣ／ＤＣ変換回路３と、太陽電池５に接続される第２のＤＣ／ＤＣ変換回路６と、第１及び第２のＤＣ／ＤＣ変換回路３、６の出力側に配置されたＤＣ／ＡＣ変換回路４とを備えている。第１、第２のＤＣ／ＤＣ変換回路３、６は、直流母線９を介してＤＣ／ＡＣ変換回路４に接続されている。
【００２２】
第１のＤＣ／ＤＣ変換回路３は、双方向のＤＣ／ＤＣ変換回路である。第１のＤＣ／ＤＣ変換回路３は、蓄電池２の直流電力を、電圧の異なる直流電力に変換し、ＤＣ／ＡＣ変換回路４に供給する。あるいは、第１のＤＣ／ＤＣ変換回路３は、直流母線９の電力を、電圧の異なる直流電力に変換し、蓄電池２に供給する。
【００２３】
ＤＣ／ＡＣ変換回路４は、双方向の電力変換回路である。ＤＣ／ＡＣ変換回路４は、太陽電池５からの直流電力及び蓄電池２からの直流電力を交流電力に変換し、変換された交流電力を商用系統７及び負荷８に供給する。なお、ＤＣ／ＡＣ変換回路４は、入力された直流電力を、商用系統７の電圧に合った交流電力に変換して出力するように制御される。あるいは、ＤＣ／ＡＣ変換回路４は、商用系統７の交流電力を直流電力に変換し、直流母線９へ供給する。
【００２４】
第２のＤＣ／ＤＣ変換回路６は、太陽電池５の電力を、電圧の異なる直流電力に変換し、直流母線９に供給する。
【００２５】
また、電力変換装置１は、第１のＤＣ／ＤＣ変換回路３を制御する第１のＤＣ／ＤＣ変換回路制御部１００と、ＤＣ／ＡＣ変換回路４を制御するＤＣ／ＡＣ変換回路制御部２００と、第２のＤＣ／ＤＣ変換回路６を制御する第２のＤＣ／ＤＣ変換回路制御部３００とを備えている。
【００２６】
蓄電池２と第１のＤＣ／ＤＣ変換回路３との間には、電圧計及び電流計（図示省略）が設けられている。蓄電池２と第１のＤＣ／ＤＣ変換回路３との間における電圧値及び電流値は、第１のＤＣ／ＤＣ変換回路制御部１００に入力される。なお、電圧計及び電流計は、電圧、電流のパラメータを検出できる形態（例えば、計測メータ、センサなど）であればよく、それらの構成は、特に限定されない。
【００２７】
また、第１及び第２のＤＣ／ＤＣ変換回路３、６とＤＣ／ＡＣ変換回路４との間には、電圧計（図示省略）が設けられている。直流母線９の電圧値は、第１のＤＣ／ＤＣ変換回路制御部１００及びＤＣ／ＡＣ変換回路制御部２００に入力される。
【００２８】
また、太陽電池５と第２のＤＣ／ＤＣ変換回路６との間には、電圧計（図示省略）が設けられている。太陽電池５と第２のＤＣ／ＤＣ変換回路６との間における電圧値は、第２のＤＣ／ＤＣ変換回路制御部３００に入力される。
【００２９】
ＤＣ／ＡＣ変換回路制御部２００は、太陽電池５と第２のＤＣ／ＤＣ変換回路６との間の電圧値を入力として受け取り、ＤＣ／ＡＣ変換回路４の交流出力の電流を制御（可変）し、太陽電池５の出力電圧を所望の電圧になるよう制御する。ＤＣ／ＡＣ変換回路制御部２００は、直流母線９の電圧が所望の電圧になるように制御する。
【００３０】
第２のＤＣ／ＤＣ変換回路制御部３００は、太陽電池５の出力電圧が所望の電圧になるように第２のＤＣ／ＤＣ変換回路６を制御する。なお、第２のＤＣ／ＤＣ変換回路制御部３００は、太陽電池５の最大電力を引き出すＭＰＰＴ制御部（図示省略）からの指令に従って、太陽電池５の最大電力点で動作するように制御する。
【００３１】
以下において本発明の特徴である第１のＤＣ／ＤＣ変換回路制御部１００について説明する。図２は、第１のＤＣ／ＤＣ変換回路制御部１００の第１の例である。第１のＤＣ／ＤＣ変換回路制御部１００は、第１のＤＣ／ＤＣ変換回路３を制御して蓄電池２の充放電を制御するとともに、直流母線９の電圧を制御するように構成されている。
【００３２】
第１のＤＣ／ＤＣ変換回路制御部１００は、蓄電池電圧及び電流制御部１０１と、リミッタ１０２と、直流母線電圧制御部１０３と、ＰＷＭ信号生成回路１０４とを備えている。図２に示すように、蓄電池電圧及び電流制御部１０１の出力側にリミッタ１０２が配置されている。蓄電池電圧及び電流制御部１０１の出力がリミッタ１０２に入力され、リミッタ１０２の出力が直流母線電圧制御部１０３に入力される。
【００３３】
直流母線電圧制御部１０３は、減算器１０５と、ＰＩ制御部１０６とを備えている。減算器１０５によってリミッタ１０２の出力と直流母線電圧との偏差が計算される。上記の偏差は、ＰＩ制御部１０６によって比例積分される。ＰＩ制御部１０６の出力は、ＰＷＭ信号生成回路１０４に入力される。ＰＷＭ信号生成回路１０４は、第１のＤＣ／ＤＣ変換回路３のゲート信号を出力する。
【００３４】
上記の構成によれば、第１のＤＣ／ＤＣ変換回路制御部１００は、ＤＣ／ＡＣ変換回路制御部２００が直流母線９の電圧を制御できなくなる場合（商用系統７の瞬時電圧低下又は停電時などの異常発生時）において、リミッタ１０２を介して出力された目標値を用いて、直流母線９の電圧を制御することができる。
【００３５】
図３は、リミッタ１０２の構成を示す図である。リミッタ１０２では、ハイ（ｈｉｇｈ）側が直流母線電圧のハイ側目標値４０１に設定され、ロー（ｌｏｗ）側が直流母線電圧のロー側目標値４０２に設定されている。ハイ側目標値４０１は、蓄電池２の放電時の直流母線９の目標電圧であり、ロー側目標値４０２は、蓄電池２の充電時の直流母線９の目標電圧である。なお、４０３は、第１のＤＣ／ＤＣ変換回路制御部１００以外の回路（以降、他の回路と呼ぶ。この例では、ＤＣ／ＡＣ変換回路制御部２００）が直流母線９を制御する場合の目標値４０３であり、母線電圧のハイ側目標値４０１とロー側目標値４０２との間の値である。
【００３６】
図４は、蓄電池電圧及び電流制御部１０１の構成を示す図である。蓄電池電圧及び電流制御部１０１は、蓄電池２の電流を制御するものである。蓄電池電圧及び電流制御部１０１は、減算器１１１と、ＰＩ制御部１１２と、リミッタ１１３と、減算器１１４と、ＰＩ制御部１１５とを備えている。
【００３７】
減算器１１１によって蓄電池電圧と蓄電池電圧目標値との偏差が計算される。上記の偏差は、ＰＩ制御部１１２によって比例積分される。ＰＩ制御部１１２の出力は、リミッタ１１３に入力される。リミッタ１１３の出力が蓄電池電流目標値となる。
【００３８】
減算器１１４によって蓄電池電流と蓄電池電流目標値との偏差が計算される。上記の偏差は、ＰＩ制御部１１５によって比例積分される。ＰＩ制御部１１５の出力は、リミッタ１０２（図２参照）に入力される。
【００３９】
電力変換装置１は、上述の構成において、蓄電池電流目標値が正の場合、蓄電池２から放電するモードで制御し、交流電力を商用系統７へ供給する。一方、蓄電池電流目標値が負の場合、電力変換装置１は、蓄電池２を充電する。
【００４０】
例えば、電力変換装置１は、太陽電池５の電力が充電電力より大きい場合は、交流電力を商用系統７へ供給し、太陽電池５の電力が充電電力より小さい場合は、商用系統７から電力をもらうように構成されている。
【００４１】
第１のＤＣ／ＤＣ変換回路制御部１００は、通常運転時において（この例では、直流母線９の電圧がＤＣ／ＡＣ変換回路制御部２００により制御されている場合）、蓄電池２の電流を制御する。一方、商用系統７の異常発生時（商用系統７の瞬時電圧低下又は停電時など）において、第１のＤＣ／ＤＣ変換回路制御部１００は、直流母線電圧のハイ側目標値４０１又は直流母線電圧のロー側目標値４０２を用いて直流母線９の電圧を制御する。以下では、通常運転時の動作及び異常発生時の動作を説明する。
【００４２】
通常運転においては、直流母線電圧は、ＤＣ／ＡＣ変換回路制御部２００によって制御されている。第１のＤＣ／ＤＣ変換回路制御部１００は、蓄電池電圧及び電流制御部１０１及びリミッタ１０２を介して、他の回路（この例では、ＤＣ／ＡＣ変換回路制御部２００）が直流母線９を制御する場合の目標値４０３（図３参照）の近傍で動作するように蓄電池電流を制御する。
【００４３】
ここで、第１のＤＣ／ＤＣ変換回路制御部１００は、蓄電池電圧及び電流制御部１０１の出力を、他の回路（この例では、ＤＣ／ＡＣ変換回路制御部２００）が直流母線９を制御する場合の目標値４０３よりも高くなるように制御して直流母線９の電圧を上げるように動作し、直流母線９へ蓄電池２の電力を出力する。すなわち、電力変換装置１は、第１のＤＣ／ＤＣ変換回路３から、直流母線９及びＤＣ／ＡＣ変換回路４を介して商用系統７へ蓄電池２の電力を放電する。
【００４４】
また、第１のＤＣ／ＤＣ変換回路制御部１００は、蓄電池電圧及び電流制御部１０１の出力を、他の回路（この例では、ＤＣ／ＡＣ変換回路制御部２００）が直流母線９を制御する場合の目標値４０３よりも低くなるように制御して直流母線９の電圧を下げるように動作し、直流母線９から電力を入力し、蓄電池２へ電力を供給する。すなわち、電力変換装置１は、直流母線９から第１のＤＣ／ＤＣ変換回路３へ、さらに、商用系統７からＤＣ／ＡＣ変換回路４を介して第１のＤＣ／ＤＣ変換回路３へ電力を供給し、蓄電池２を充電する。
【００４５】
次に、蓄電池２から放電している場合において、商用系統７の瞬時電圧低下又は停電が生じたときの動作について説明する。商用系統７の瞬時電圧低下又は停電が生じると、ＤＣ／ＡＣ変換回路４の出力電力が低下することになる。例えば、商用系統７の瞬時電圧低下の場合、交流の出力電力が蓄電池２の放電電力よりも小さくなると、電力変換装置１は、蓄電池２の放電電力から交流の出力電力を引いた電力で直流母線９の電解コンデンサ（図示省略）を充電し始める。商用系統７の停電の場合、電力変換装置１は、蓄電池２の放電電力そのものによって直流母線９の電解コンデンサを充電し始める。このようにして、ＤＣ／ＡＣ変換回路制御部２００が直流母線９の電圧を制御できなくなり、直流母線９の電圧が上昇する。
【００４６】
直流母線９の電圧が上昇すると、これに伴い、蓄電池電圧及び電流制御部１０１の出力が、蓄電池２の放電を維持するために、直流母線電圧に沿って上昇する。ここで、蓄電池電圧及び電流制御部１０１の出力が上昇するが、蓄電池電圧及び電流制御部１０１の出力側に配置されたリミッタ１０２によって、蓄電池電圧及び電流制御部１０１の出力が、リミッタのハイ側目標値４０１（図３参照）で固定される。直流母線電圧制御部１０３は、ハイ側目標値４０１によって直流母線電圧を制御する。第１のＤＣ／ＤＣ変換回路制御部１００は、ハイ側目標値４０１を目標値として、直流母線電圧を制御することができる。上記の異常発生（商用系統７の瞬時電圧低下又は停電）の直前まで、直流母線電圧制御部１０３は安定して動作しており、異常が発生した後も、従来の切換回路による切換動作が必要なく、直流母線電圧制御部１０３の動作は変わらない。したがって、上記の異常発生時においても直流母線電圧が安定する。
【００４７】
次に、蓄電池２を充電している場合において、商用系統７の瞬時電圧低下又は停電が生じたときの動作について説明する。商用系統７の瞬時電圧低下の場合、ＤＣ／ＡＣ変換回路４へ供給される交流電力が蓄電池２の充電電力よりも小さくなると、電力変換装置１は、蓄電池２の充電電力から上記の交流電力を引いた電力で直流母線９の電解コンデンサを充電し始める。商用系統７の停電の場合、電力変換装置１は、蓄電池２の充電電力そのものによって直流母線９の電解コンデンサを充電し始める。このようにして、ＤＣ／ＡＣ変換回路制御部２００が直流母線９の電圧を制御できなくなる。
【００４８】
直流母線９の電圧が下降すると、これに伴い、蓄電池電圧及び電流制御部１０１の出力が、蓄電池２の充電を維持するために、直流母線電圧に沿って下降する。ここで、蓄電池電圧及び電流制御部１０１の出力が下降するが、蓄電池電圧及び電流制御部１０１の出力側に配置されたリミッタ１０２によって、蓄電池電圧及び電流制御部１０１の出力が、リミッタのロー側目標値４０２（図３参照）で固定される。直流母線電圧制御部１０３は、ロー側目標値４０２によって直流母線電圧を制御する。第１のＤＣ／ＤＣ変換回路制御部１００は、ロー側目標値４０２を目標値として、直流母線電圧を制御することができる。上記の異常発生（商用系統７の瞬時電圧低下又は停電）の直前まで、直流母線電圧制御部１０３は安定して動作しており、異常が発生した後も、従来の切換回路による切換動作が必要なく、直流母線電圧制御部１０３の動作は変わらない。したがって、上記の異常発生時においても直流母線電圧が安定する。
【００４９】
なお、上記の例では、第１のＤＣ／ＤＣ変換回路制御部１００がＰＩ制御部を備える構成を示したが、ＰＩ制御部に限定されず、それに類する制御部を備えていればよい。
【００５０】
図５は、本発明における第１のＤＣ／ＤＣ変換回路制御部１００の第２の例である。本例の第１のＤＣ／ＤＣ変換回路制御部１００は、蓄電池電圧及び電流制御部１０１の代わりに、乗算器１０７と、蓄電池電圧及び電力制御部１０８とを備えている。第１のＤＣ／ＤＣ変換回路制御部１００のその他の構成要素については、図２と同じである。
【００５１】
図５に示すように、蓄電池２の電力を制御する蓄電池電圧及び電力制御部１０８の出力側にリミッタ１０２が配置されている。蓄電池電圧及び電力制御部１０８の出力が、リミッタ１０２に入力される。また、リミッタ１０２の出力が直流母線電圧制御部１０３に入力される。直流母線電圧制御部１０３からの出力は、ＰＷＭ信号生成回路１０４に入力される。ＰＷＭ信号生成回路１０４は、第１のＤＣ／ＤＣ変換回路３のゲート信号を出力する。
【００５２】
図６は、蓄電池電圧及び電力制御部１０８の構成を示す図である。蓄電池電圧及び電力制御部１０８は、減算器１１１と、ＰＩ制御部１１２と、リミッタ１１３と、減算器１１４と、ＰＩ制御部１１５とを備えている。
【００５３】
図６の例において、蓄電池電圧及び電力制御部１０８は、減算器１１１、ＰＩ制御部１１２、及びリミッタ１１３を介して、蓄電池電力目標値を出力する。そして、乗算器１０７によって、蓄電池電流及び蓄電池電圧から蓄電池電力が計算され、減算器１１４によって、蓄電池電力と蓄電池電力目標値との偏差が計算される。上記の偏差は、ＰＩ制御部１１５によって比例積分される。ＰＩ制御部１１５からの出力は、リミッタ１０２に入力される。
【００５４】
なお、通常運転時の第１のＤＣ／ＤＣ変換回路制御部１００の動作、及び、商用系統７の瞬時電圧低下又は停電時の第１のＤＣ／ＤＣ変換回路制御部１００の動作については、上記の内容と同じであるため、説明を省略する。
【００５５】
図７は、本実施形態の電力変換装置１において商用系統７の瞬時電圧低下又は停電が生じたときの直流母線電圧の変化を示す。図７に示すように、電力変換装置１によれば、商用系統７の瞬時電圧低下又は停電が生じた場合でも、直流母線９の電圧が安定して動作する。
【００５６】
[第２実施形態]
図８は、本発明の第２実施形態における電力変換装置の概略構成図である。電力変換装置１の構成要素は図１と同じであるため、詳細な説明を省略する。以下では、第１実施形態と異なる点について説明する。
【００５７】
ＤＣ／ＡＣ変換回路制御部２００は、太陽電池５と第２のＤＣ／ＤＣ変換回路６との間の電圧値を入力として受け取り、交流出力の電流を制御（可変）し、太陽電池５の出力電圧を所望の電圧になるよう制御する。なお、ＤＣ／ＡＣ変換回路制御部２００は、ＭＰＰＴ制御部（図示省略）からの指令に従って、太陽電池５の最大電力点で動作するように制御する。
【００５８】
通常運転において、第２のＤＣ／ＤＣ変換回路制御部３００は、直流母線９の電圧値を入力として受け取り、直流母線９の電圧を所望の電圧になるよう制御する。このように、本実施形態の電力変換装置１は、直流母線電圧を第２のＤＣ／ＤＣ変換回路制御部３００を用いて制御している点において、第１実施形態と異なる。
【００５９】
通常運転時において、直流母線９の電圧は、第２のＤＣ／ＤＣ変換回路制御部３００によって制御されている。第１のＤＣ／ＤＣ変換回路制御部１００は、通常運転時において（この例では、直流母線９の電圧が第２のＤＣ／ＤＣ変換回路制御部３００により制御されている場合）、蓄電池２の電流を制御する。
【００６０】
一方、商用系統７の異常発生時（商用系統７の瞬時電圧低下又は停電時など）において、第２のＤＣ／ＤＣ変換回路制御部３００が、直流母線９の電圧を制御できなくなる。本例では、異常発生時において、第１のＤＣ／ＤＣ変換回路制御部１００は、直流母線電圧のハイ側目標値４０１又は直流母線電圧のロー側目標値４０２（図３参照）を用いて直流母線９の電圧を制御する。なお、通常運転時、商用系統７の瞬時電圧低下又は停電時の第１のＤＣ／ＤＣ変換回路制御部１００の動作については、上記の内容と同じであるため、説明を省略する。
【００６１】
本実施形態に関しても、図７に示したように、商用系統７の瞬時電圧低下又は停電が生じた場合でも、直流母線９の電圧が安定して動作する。
【００６２】
本発明は上記した実施形態に限定されるものではなく、様々な変形例が含まれる。上記実施形態は本発明を分かりやすく説明するために詳細に説明したものであり、必ずしも説明した全ての構成を備えるものに限定されるものではない。また、ある実施形態の構成の一部を他の実施形態の構成に置き換えることもできる。また、ある実施形態の構成に他の実施形態の構成を加えることもできる。また、各実施形態の構成の一部について、他の構成を追加・削除・置換することもできる。
【符号の説明】
【００６３】
１      …電力変換装置
２      …蓄電池（第１の直流電源）
３      …第１のＤＣ／ＤＣ変換回路
４      …ＤＣ／ＡＣ変換回路
５      …太陽電池（第２の直流電源）
６      …第２のＤＣ／ＤＣ変換回路
７      …商用系統
８      …負荷
９      …直流母線
１００  …第１のＤＣ／ＤＣ変換回路制御部
１０１  …蓄電池電圧及び電流制御部（第１の直流電源制御部）
１０２  …リミッタ
１０３  …直流母線電圧制御部
１０４  …ＰＷＭ信号生成回路
１０５  …減算器
１０６  …ＰＩ制御部
１０７  …乗算器
１０８  …蓄電池電圧及び電力制御部（第１の直流電源制御部）
１１１  …減算器
１１２  …ＰＩ制御部
１１３  …リミッタ
１１４  …減算器
１１５  …ＰＩ制御部
２００  …ＤＣ／ＡＣ変換回路制御部
３００  …第２のＤＣ／ＤＣ変換回路制御部
４０１  …直流母線電圧のハイ側目標値（第１の目標値）
４０２  …直流母線電圧のロー側目標値（第２の目標値）
４０３  …第１のＤＣ／ＤＣ変換回路制御部以外の回路が直流母線を制御している場合の目標値（第３の目標値）
【図１】
2018019481.tif 000003
【図２】
2018019481.tif 000004
【図３】
2018019481.tif 000005
【図４】
2018019481.tif 000006
【図５】
2018019481.tif 000007
【図６】
2018019481.tif 000008
【図７】
2018019481.tif 000009
【図８】
2018019481.tif 000010
【図９】
2018019481.tif 000011
【図１０】
2018019481.tif 000012